(57)【特許請求の範囲】
【請求項１】
オーディオ情報、映像情報、ディジタルコードデータの少なくとも一つを含むマルチメディア情報が光学的に読み取り可能なコードとして記録された部分を備えるカード型媒体から、該コードを光学的に読み取る読取手段と、
上記読取手段で読み取られたコードを処理して元のマルチメディア情報に復元する復元処理手段と、
上記復元処理手段で復元処理されたマルチメディア情報を出力する出力手段と、
を備え、
上記復元処理手段は、上記読取手段により、同読取手段で読み取られた第１のカード型媒体のコードに基づくマルチメディア情報から別のマルチメディア情報の生成を指示するための情報を含む第２のカード型媒体のコードが読み取られたとき、当該別のマルチメディア情報の生成を指示するための情報に基づいて、上記読取手段で読み取られた上記第１のカード型媒体のコードに基づくマルチメディア情報から、上記第１及び第２の何れのカード型媒体に記録された上記コードに基づく情報とも異なる別のマルチメディア情報を生成する別情報生成手段を有することを特徴とするコード読取装置。
【請求項２】
オーディオ情報、映像情報、ディジタルコードデータの少なくとも一つを含むマルチメディア情報が光学的に読み取り可能なコードとして記録された部分を備えるカード型媒体から、該コードを光学的に読み取る読取手段と、
上記読取手段で読み取られたコードを処理して元のマルチメディア情報に復元する復元処理手段と、
上記復元処理手段で復元処理されたマルチメディア情報を出力する出力手段と、を備え、
更に、
上記読取手段で読み取られた第１のカード型媒体のコードに基づくマルチメディア情報から別のマルチメディア情報の生成を指示するための情報を含むコードが記録された第２のカード型媒体に基づいて、当該装置を、通常モードから、上記読取手段で読み取られた第１のカード型媒体のコードに基づくマルチメディア情報から上記第１及び第２の何れのカード型媒体に記録された上記コードに基づく情報とも異なる別のマルチメディア情報を生成する別情報生成モードに設定する制御手段を備えたことを特徴とするコード読取装置。
【請求項３】
オーディオ情報、映像情報、ディジタルコードデータの少なくとも一つを含むマルチメディア情報が光学的に読み取り可能なコードとして記録された部分を備えるカード型媒体から、該コードを光学的に読み取る読取手段と、
上記読取手段で読み取られたコードを処理して元のマルチメディア情報に復元する復元処理手段と、
上記復元処理手段で復元処理されたマルチメディア情報を出力する出力手段と、
を備えたコード読取装置のための上記カード型媒体であって、
上記マルチメディア情報が光学的に読み取り可能な第１のコードとして記録された部分を備える第１のカード型媒体と、
上記マルチメディア情報が光学的に読み取り可能な第２のコードとして記録された部分を備える第２のカード型媒体と、を含み、
上記第２のコードは、上記第２のコードが上記読取手段で読み取られたとき、上記読取手段で読み取られた上記第１のコードに基づくマルチメディア情報から上記第１及び第２の何れのカード型媒体に記録された上記コードに基づく情報とも異なる別のマルチメディア情報の生成を指示するための情報を含むことを特徴とするカード型媒体。
【発明の詳細な説明】
【０００１】
【発明の属する技術分野】
本発明は、オーディオ情報，映像情報，ディジタルコードデータの少なくとも一つを含むマルチメディア情報が光学的に読み取り可能なコードとして記録された部分を備えるカード型媒体、及びそのようなカード型媒体から該コードを光学的に読み取るようにしたコード読取装置に関し、更に詳しくは、複数の該カード型媒体に記録されたコードを各別に読み取って、これらのコードに基づく各マルチメディア情報を利用することにより、各コード単独では生成し得ない別のマルチメディア情報を生成するようにしたコード読取装置に関する。
【０００２】
【従来の技術】
従来、例えば、子供などが学習のために家庭において理科の実験を行おうとする場合、実験の種類によっては安全性、設備、コストなど種々の面で不都合が生じることがあるため、これを簡単に実施することは難しいという問題がある。
【０００３】
その具体例として、一つには化学実験の炎色反応が挙げられる。これは、各種の金属をバーナーで燃焼させ、そのときに生ずる炎の色を視覚的に確認することにより当該金属の種類を分析するものである。従って、バーナーを使用したり各種の金属を必要とするため、当然に上記したような危険性やコスト上の不利が伴ってくるものであり、子供などがこれを自主的に行うには到底無理がある。
【０００４】
そこで、最近では、各家庭内に徐々に普及しつつあるパーソナルコンピュータを利用することにより、子供がその画面を通して上記したような理科実験も含む学習を行うことが可能になってきている。
【０００５】
【発明が解決しようとする課題】
しかしながら、このものは基本的にはキーボードとマウスを使用した画面上での操作だけとなるため、その操作は極めて単調的で機械的なものとなり、試行錯誤を繰り返しながら、あたかも現実に実験を行っているという実感或いは実体験を擬似的に得るには未だ十分なものとは言えない。
【０００６】
この理由は、現実の実験にみられるように、各器具や対象物を手で持ちながらあれこれ動かすようにしてコンピュータを操作することが物理的に不可能に近く、また、その実験等における操作者の色々な選択肢も、結局は使用しているソフトウエアで殆ど予め決まってしまっていて、このソフトウエアで用意された選択肢以外の選択は事実上不可能となり、この予定されていない逸脱した行為自体が制約されているといったことに起因している。
【０００７】
このため、子供は、単なるキーボードとマウスの機械的な操作だけを行うことに加え、同じソフトウエアを使用して実験を何度も繰り返すことによりその選択肢を覚えてしまい、結局、その操作が単調化し、また機械的なものとなる。よって、当該ソフトウエアが予定していない操作もときには行いたくなるところこれが受け付けられないため、その好奇心や探求心を満足させることができず、上記したように、あたかも現実に実験を行っているという実感或いは実体験を擬似的に得るにはまだまだ十分なものとは言えないわけである。
【０００８】
この問題は、何も上記した理科の実験に限って言えることではなく、例えば、算数の学習の他、様々な用途にもあてはまることであり、また、その対象者も子供から大人まで幅広く対象となる。
【０００９】
本発明者等は、このような状況に対して鋭意検討を重ねた結果、あたかも現実に実験を行っているという実感或いは実体験を擬似的に、しかも子供等が容易に得られるには、基本的にはパーソナルコンピュータを利用していたのでは一定の限界があって、フロッピーディスクなどの既存の媒体ではない全く別のコスト的にも有利なカード的な媒体を、実験の各要素毎に準備し、且つ、これらのカード的な媒体をあれこれと操作する必要があるとの一つの知見を得て、本発明を完成するに至ったのである。
【００１０】
即ち、本発明は、例えば、当該装置を子供が理科の実験を行う用途に用いたとき、あたかも現実にこれを行っているという実感或いは実体験を擬似的に得ることを容易に可能となし、もってその創造性や探求心を育む上で極めて好適に利用できるコード読取装置及びカード型媒体を提供することを目的とするものである。
【００１１】
【課題を解決するための手段】
上記の目的を達成するために、請求項１に記載の発明によるコード読取装置は、オーディオ情報、映像情報、ディジタルコードデータの少なくとも一つを含むマルチメディア情報が光学的に読み取り可能なコードとして記録された部分を備えるカード型媒体から、該コードを光学的に読み取る読取手段と、上記読取手段で読み取られたコードを処理して元のマルチメディア情報に復元する復元処理手段と、上記復元処理手段で復元処理されたマルチメディア情報を出力する出力手段と、を備え、上記復元処理手段は、上記読取手段により、同読取手段で読み取られた第１のカード型媒体のコードに基づくマルチメディア情報から別のマルチメディア情報の生成を指示するための情報を含む第２のカード型媒体のコードが読み取られたとき、当該別のマルチメディア情報の生成を指示するための情報に基づいて、上記読取手段で読み取られた上記第１のカード型媒体のコードに基づくマルチメディア情報から、上記第１及び第２の何れのカード型媒体に記録された上記コードに基づく情報とも異なる別のマルチメディア情報を生成する別情報生成手段を有することを特徴とする。
【００１２】
即ち、請求項１に記載の発明によるコード読取装置によれば、読取手段にて第２のカード型媒体を読み取ったとき、復元処理手段の別情報生成手段は、その第２のカード型媒体にコードとして記録されている第１のカード型媒体のコードに基づくマルチメディア情報から別のマルチメディア情報の生成を指示するための情報に基づいて、上記読取手段で読み取られた上記第１のカード型媒体のコードに基づくマルチメディア情報から、その第１及び第２のカード型記録媒体のみを単独で読み取っただけでは生成し得ない、上記第１及び第２の何れのカード型媒体に記録された上記コードに基づく情報とも異なる別のマルチメディア情報を生成し、この生成された別のマルチメディア情報を出力手段にて出力する。従って、例えば、当該装置を子供が理科の実験を行う用途に用いたとき、各器具や薬品をそれぞれ示すカード型媒体をあれこれと操りながら実際に操作することになるため、あたかも現実に実験を行っているという実感或いは実体験を擬似的に得ることが容易に可能となり、もってその創造性や探求心を育む上で極めて好適に利用できるコード読取装置が提供できる。
【００１３】
また、請求項２に記載の発明によるコード読取装置は、オーディオ情報、映像情報、ディジタルコードデータの少なくとも一つを含むマルチメディア情報が光学的に読み取り可能なコードとして記録された部分を備えるカード型媒体から、該コードを光学的に読み取る読取手段と、上記読取手段で読み取られたコードを処理して元のマルチメディア情報に復元する復元処理手段と、上記復元処理手段で復元処理されたマルチメディア情報を出力する出力手段と、を備え、更に、上記読取手段で読み取られた第１のカード型媒体のコードに基づくマルチメディア情報から別のマルチメディア情報の生成を指示するための情報を含むコードが記録された第２のカード型媒体に基づいて、当該装置を、通常モードから、上記読取手段で読み取られた第１のカード型媒体のコードに基づくマルチメディア情報から上記第１及び第２の何れのカード型媒体に記録された上記コードに基づく情報とも異なる別のマルチメディア情報を生成する別情報生成モードに設定する制御手段を備えたことを特徴とする。
【００１４】
即ち、請求項２に記載の発明によるコード読取装置によれば、制御手段は、装置として、通常のマルチメディア情報を生成する通常モードと、上記第１及び第２の何れのカード型媒体に記録された上記コードに基づく情報とも異なる別のマルチメディア情報を生成する別情報生成モードとを選択的に実行するよう制御する。従って、各利用場面に応じたモードの設定によって幅広い使い方ができる。
【００１５】
また、請求項３に記載の発明によるカード型媒体は、オーディオ情報、映像情報、ディジタルコードデータの少なくとも一つを含むマルチメディア情報が光学的に読み取り可能なコードとして記録された部分を備えるカード型媒体から、該コードを光学的に読み取る読取手段と、上記読取手段で読み取られたコードを処理して元のマルチメディア情報に復元する復元処理手段と、上記復元処理手段で復元処理されたマルチメディア情報を出力する出力手段と、を備えたコード読取装置のための上記カード型媒体であって、上記マルチメディア情報が光学的に読み取り可能な第１のコードとして記録された部分を備える第１のカード型媒体と、上記マルチメディア情報が光学的に読み取り可能な第２のコードとして記録された部分を備える第２のカード型媒体と、を含み、上記第２のコードは、上記第２のコードが上記読取手段で読み取られたとき、上記読取手段で読み取られた上記第１のコードに基づくマルチメディア情報から上記第１及び第２の何れのカード型媒体に記録された上記コードに基づく情報とも異なる別のマルチメディア情報の生成を指示するための情報を含むことを特徴とする。
【００１６】
即ち、請求項３に記載の発明によるカード型媒体によれば、マルチメディア情報が光学的に読み取り可能な第１のコードとして記録された部分を備える第１のカード型媒体と、上記マルチメディア情報が光学的に読み取り可能な第２のコードとして記録された部分を備える第２のカード型媒体と、を含み、上記第２のコードは、上記第２のコードが上記読取手段で読み取られたとき、上記読取手段で読み取られた上記第１のカード型媒体のコードに基づくマルチメディア情報から上記第１及び第２の何れのカード型媒体に記録された上記コードに基づく情報とも異なる別のマルチメディア情報の生成を指示するための情報を含んでいるので、その第２のカード型媒体の第２のコードに含まれる別のマルチメディア情報の生成を指示するための情報に基づいて、読取手段で読み取られた第１のカード型媒体の第１のコードに基づくマルチメディア情報から、その第１のカード型記録媒体の第１のコードのみ又は第２のカード型記録媒体の第２のコードのみを単独で光学的に読み取っただけでは生成し得ない別のマルチメディア情報を生成することが可能となる。従って、例えば、当該カード型媒体を子供が理科の実験を行う用途に用いたとき、各器具や薬品をそれぞれ示すカード型媒体をあれこれと操りながら実際に操作することになるため、あたかも現実に実験を行っているという実感或いは実体験を擬似的に得ることが容易に可能となり、もってその創造性や探求心を育む上で極めて好適に利用できるコード読取装置に用いるカード型媒体が提供できる。
【００１９】
【発明の実施の形態】
以下、本発明の実施の形態を図面を参照して説明する。
図１の（Ａ）は、第１の実施の形態の構成を示す図で、参照番号１０は、当該コード読取装置全体を制御するＣＰＵである。このＣＰＵ１０には、光学的読取部１２、メモリ１４、復元処理部１６、及び出力部１８が接続されている。
【００２０】
ここで、光学的読取部１２は、このコード読取装置の図示しないカード挿入部に挿入された不図示のカード型記録媒体の例えば裏面に印刷記録されたコードデータ、例えば同図の（Ｂ）に示すようなドットコードを光学的に読み取るものであり、その読み取ったコードの情報が、復元処理部１６において元のマルチメディア情報に復元され、メモリ１４に蓄積される。そして、出力部１８よりその復元したマルチメディア情報を出力する。即ち、この出力部１８は、音声（オーディオ情報）を出力するためのイヤーホンやスピーカ、画像（映像情報）やテキスト（ディジタルコードデータ）を出力するためのモニタやプリンタ等を含む。
【００２１】
なお、このようなコード読取装置及びドットコードの詳細については、本発明の出願による特開平６−２３１４６６号公報等に詳しく説明されているので、ここではその説明を省略する。
【００２２】
而して、本実施の形態のコード読取装置は、上記復元処理部１６が別情報生成部２０を有していることを特徴とする。この別情報生成部２０は、上記光学的読取部１２にて時分割で順次読み取った複数の各カード型媒体に記録された各コードに基づく複数のマルチメディア情報を利用して、各カード型媒体に記録されたコード単独では生成し得ない別のマルチメディア情報を生成するものであり、この別情報生成部２０で生成された別情報も、上記出力部１８によって出力される。
【００２３】
図２は、このようなコード読取装置の動作フローチャートである。
まず、Ｎｏ．１のカード型媒体を挿入すると（ステップＳ１０）、光学的読取部１２がそのカード型媒体に印刷記録されたドットコードを光学的に読み取り（ステップＳ１２）、復元処理部１６は、この読み取ったドットコードを元のマルチメディア情報に復元処理する（ステップＳ１４）。そして、この復元処理したマルチメディア情報の内、このカードＮｏ．１に関して出力できるものについて出力部１８にて出力する。また、この復元処理したマルチメディア情報を、メモリ１４のメモリエリア１（図示せず）に格納しておく（ステップＳ１６）。
【００２４】
次に、Ｎｏ．２のカード型媒体を挿入すると（ステップＳ１８）、同様に、光学的に読み取り（ステップＳ２０）、復元処理して（ステップＳ２２）、その復元処理したマルチメディア情報の内、出力できるものを出力する。さらに、その復元処理したマルチメディア情報をメモリエリア２に格納する（ステップＳ２４）。
【００２５】
次に、Ｎｏ．３のカード型媒体を挿入すると（ステップＳ２６）、同様に、光学的に読み取り（ステップＳ２８）、復元処理して（ステップＳ３０）、その復元処理したマルチメディア情報の内、出力できるものを出力する。さらに、その復元処理したマルチメディア情報をメモリエリア３に格納する（ステップＳ３２）。
【００２６】
そして、復元処理部１６に設けられた別情報生成部２０は、これらのメモリエリア１，２，３に格納されたマルチメディア情報に関して演算処理を行って別情報を生成し（ステップＳ３４）、この生成された別情報が出力部１８によって出力される。
【００２７】
次に、図３を参照して、この動作の実際の例を説明する。
まず、Ｎｏ．１のカードとして、マルチメディア情報カード型媒体である「物質Ａ」のカードを挿入すると、コード読取装置は、通常モードに設定され、当該カード型媒体の例えば裏面にドットコードとして記録されたマルチメディア情報（例えば、当該物質Ａの色、性質、用途等のテキストデータや当該物質Ａの画像等）を読み取り、復元して、出力部１８に出力（例えば、モニタに表示出力）する。
【００２８】
次に、Ｎｏ．２のカードとして、マルチメディア情報カード型媒体である「物質Ｄ」のカードを挿入すると、同様に、コード読取装置は、通常モードに設定され、当該カード型媒体からドットコードを読み取り、マルチメディア情報を復元して、出力部１８に出力する。
【００２９】
ここで、Ｎｏ．３のカードとして、別情報の生成の仕方を指定する生成指示カード型媒体である「混ぜる」のカードを挿入すると、コード読取装置は、別情報生成モードに設定され、別情報生成部２０が、例えば当該生成指示カード裏面にドットコードとして記録された図４に示すような別情報生成テーブルに基づいて、「物質Ａ」のカード及び「物質Ｄ」のカードに記録された各ドットコード単独では生成し得ない別のマルチメディア情報（例えば、物質Ｈの色、性質、用途等のテキストデータや当該物質Ｈの画像等）を生成して、出力部１８に出力（例えば、モニタに表示出力）する。
【００３０】
なお、上記物質Ｈに関するマルチメディア情報は、生成指示カード型媒体にドットコードとして記録しておくものであっても良いが、情報量が多い場合には、予めメモリ１４に記憶しておくのが好ましい。この場合、ＲＯＭとして当該装置の製造時に記憶しておくものであっても良いし、上記動作の前に予め別のカード型媒体から読み取ってＲＡＭに記憶しておく形態としても良い。さらに、上記別情報生成テーブルについても、予め記憶しておくものとし、生成指示カード型媒体には単にその記憶されているテーブルを使用することを指示する情報を記録しておくものであっても良い。
【００３１】
また、上記の例では、３枚のカード型媒体を使用した場合を説明したが、これは２枚であっても良いし、４枚以上使用しても良いことは勿論である。
例えば、図５は、２枚のカード型媒体を用いた場合の例であり、マルチメディア情報カード型媒体として「金属（銅）棒」カードを挿入し、その後、生成指示カード型媒体として「炎色反応」カードを挿入すると、出力部１８としてのモニタに、銅の炎色反応の動画像が表示される。
【００３２】
また、本実施の形態においては、上記のような理科の実験に限らず、種々の分野に応用できる。
例えば、図６の（Ａ）に示すように、マルチメディア情報カード型媒体としての「１」カードと、マルチメディア情報カード型媒体としての「７」カードと、生成の仕方を指定するための生成指示カード型媒体としての「＋」カードを挿入することで、モニタに「１＋７」の答えである「８」を表示したり、スピーカから「ハチ」と音声出力させるというように、算数の学習に応用することができる。
【００３３】
あるいは、同図の（Ｂ）に示すように、マルチメディア情報カード型媒体としての「白」カード及び「赤」カードと、生成指示カード型媒体としての「＋」カードを挿入することで、モニタに白と赤を混色した時に生成される「ピンク」を表示出力させたり、同図の（Ｃ）に示すように、マルチメディア情報カード型媒体としての「右斜線」カード及び「左斜線」カードと生成指示カード型媒体としての「＋」カードを挿入することで、モニタに両方の網目の線を表示出力させるというように、図工の学習に応用することができる。
【００３４】
また、後者の別パターン生成は、このような学習への応用に加えて、特にアパレル分野における応用に好適する。即ち、生地メーカにおいて生地を作ろうとするとき、それに使用する糸の太さや色、素材、織り方や編み方などに非常に多くのバリエーションがあり、デザイナはそれらを組み合わせて所望の生地を設計する。このとき、デザイナは、糸見本やカード状の織り見本，編み見本，生地見本等の各種見本を参照し、頭の中でそれらを組み合わせた出来上がりを想像し、実際に製造してみて徐々に所望の色彩、模様、柄、形の生地に到達するのが普通である。このようなやり方では、非常に多くの時間と手間がかかるが、本実施の形態を応用すれば、カード型媒体の表面に写真等をプリントした見本を適宜選択して、カード読取装置に順次挿入することで、実際に製造してみなくても、ある程度実際の生地に近いものをモニタに表示することができるので、時間と手間の節約に多大な効果を奏する。しかも、一般的に利用されている見本の形態であるカード状とほぼ同様の形態であるカード型媒体として見本を提供できるので、それらを広げてならべることによる一覧性や選択性において、パソコンのモニタのように限られたエリアに複数の見本を一覧表示するという手法では得られない、従来と同様の容易さを保つことが可能である。
【００３５】
なお、以上の説明においては、それぞれマルチメディア情報がドットコードして記録された各マルチメディア情報カード型媒体を挿入した後に、最後に生成指示カード型媒体を挿入するようにしていたが、図７に示すように、間に生成指示カード型媒体を挿入する形態であっても良い。このような形態では、特に算数の応用において、先ず、マルチメディア情報カード型媒体としての「１」のカードを読み込ませ、次に、生成指示カード型媒体としての「＋」のカードを読み込ませ、更にマルチメディア情報カード型媒体としての「７」のカードを読み込ませた後、最後に生成指示カード型媒体としての「＝」のカードを読み込ませて、答えの「８」を得るというように、計算過程にそのまま沿った形でカードを扱うことができるため、操作上の不自然さが無くなるという効果がある。
【００３６】
また、最初に生成指示カード型媒体を挿入し、その後に各マルチメディア情報カード型媒体を挿入する形態であっても良い。この場合は、先ず初めに、別のマルチメディア情報の生成の仕方を指定するためのカードを読み込ませるため、操作者にとっては以後に選択するマルチメディア情報カードの確認にもなり、従って間違えてカードを選択する恐れが解消される。
【００３７】
次に、本発明の第２の実施の形態を説明する。
本実施の形態は、マルチメディア情報カード型媒体と生成指示カード型媒体の外観を異ならせることで、両者を識別可能なようにしたものである。
【００３８】
即ち、図８の（Ａ）に示すように、マルチメディア情報カード型媒体と生成指示カード型媒体とは、その媒体に記載された文字乃至は絵柄情報またはその色が異なるように構成される。
【００３９】
あるいは、同図の（Ｂ）に示すように、マルチメディア情報カード型媒体と生成指示カード型媒体とは、その媒体の形状もしくは大きさが異なるように構成される。
【００４０】
その他の部分については、上記第１の実施の形態と同様である。
次に、本発明の第３の実施の形態を説明する。
本実施の形態は、量や数値、程度といったパラメータを考慮して別のマルチメディア情報を生成できるようにしたものである。
【００４１】
即ち、図９の（Ａ）に示すように、例えば１０ｃｃの物質Ａを示すマルチメディア情報カード型媒体を２回コード読取装置に挿入することで、物質Ａが２０ｃｃであることを表すことができる。
【００４２】
このように、同じマルチメディア情報カード型媒体の読み取り回数によってパラメータを指示することができる。これは、例えば、図６の（Ｂ）で示したような混色の例に応用すると、さらに細かい色合い、即ち中間色の結果を得ることができるようになる。
【００４３】
また、図９の（Ｂ）に示すように、１つのマルチメディア情報カード型媒体に、複数のパラメータ値を指示するドットコードを記録しておき、該カード型媒体の挿入方向により、即ち、読み取り方向により、パラメータ値を設定できるようにしても良い。
【００４４】
あるいは、図９の（Ｃ）に示すように、マルチメディア情報カード型媒体に、マークシートのように、操作者が任意にマークをすることができるマーク領域２２を設け、これを光学的に読み取ることでパラメータを設定できるようにしても良い。
【００４５】
また、図９の（Ｄ）に示すように、マルチメディア情報カード型媒体の裏面つまりコード面２４側に記録されているパラメータを表すコード２６を操作者が任意に塗りつぶすことで、パラメータを指定するようにしても良い。即ち、この場合は、コード読取装置は、塗りつぶされた部分のコードを読み取ることができないので、この読み取れなかった部分に相当するパラメータが指定されたことがわかり、その指定のパラメータを設定することができる。
【００４６】
また、図１０の（Ａ）及び（Ｂ）に示すように、マルチメディア情報カード型媒体２８のコード読取装置３０への挿入量によりパラメータを設定するようにしても良い。この場合、マルチメディア情報カード型媒体２８には、パラメータ設定用コードデータ３２を設け、これをコード読取装置３０で光学的に読み取るものとする。なお、コード読取装置３０がカード型媒体２８を自動ローディングする構成の場合には、操作者が任意の位置でカード型媒体２８のローディングを停止させることができるような停止スイッチ等を設けることが必要である。あるいは、コード読取装置３０に接続されたペン型のスキャナにより、パラメータ設定用コードデータ３２のみを読み取るようにしても良い。
【００４７】
なお、以上の第１乃至第３の実施の形態において説明したマルチメディア情報カード型媒体及び生成指示カード型媒体は、例えばトランプやプリペイドカードのように、硬質の材質乃至はラミネートコーティングにより、耐久性を高め、繰り返しの使用に耐え得るようにされていることが好ましい。
【００４８】
以上実施の形態に基づいて本発明を説明したが、本発明は上述した実施の形態に限定されるものではなく、本発明の要旨の範囲内で種々の変形や応用が可能である。ここで、本発明の要旨をまとめると以下のようになる。
【００４９】
（１）  オーディオ情報、映像情報、ディジタルコードデータの少なくとも一つを含むマルチメディア情報が光学的に読み取り可能なコードとして記録された部分を備える、当該装置の所定の読み取り位置にあるカード型媒体から、該コードを光学的に画像として読み取る読取手段と、
上記読取手段で読み取られたコードを処理して元のマルチメディア情報に復元する復元処理手段と、
上記復元処理手段で復元処理されたマルチメディア情報を出力する出力手段とを備え、
上記復元処理手段は、上記読取手段が時分割で順次読み取った複数の各カード型媒体に記録された各コードに基づく複数のマルチメディア情報を利用して、各カード型媒体に記録されたコード単独では生成し得ない別のマルチメディア情報を生成する別情報生成手段を備えており、
上記出力手段は、この別情報生成手段で生成された別のマルチメディア情報を出力することを特徴とするコード読取装置。
【００５０】
即ち、例えば、当該コード読取装置を子供が理科の実験を行う用途に用いたとき、各器具や薬品をそれぞれ示すカード型媒体をあれこれと操りながら実際に操作することになるため、あたかも現実に実験を行っているという実感或いは実体験を擬似的に得ることが容易に可能となり、もってその創造性や探求心を育む上で極めて好適に利用できるコード読取装置が提供できる。また、これを従来のパーソナルコンピュータを利用して行おうとすると、各器具や薬品をそれぞれ示すカード型媒体に例えば、フロッピーディスクや半導体メモリカードを各別に適用することが考えられるが、これらのものではその保持すべき情報量とコスト（媒体単価）との関係から極めて非効率且つ不利なものとなり、とてもそのためのみに利用できるものではない。従って当該装置においては、コードを光学的に読み取り可能に記録したカード型媒体が、その記録すべき情報量や媒体自体のコストの面からみても極めて効果的に利用できる。
【００５１】
（２）  上記コード読取装置は、上記別情報生成手段が複数のマルチメディア情報を利用して別のマルチメディア情報を生成するときの、生成の仕方を指定するための指定手段を更に備えたことを特徴とする（１）記載のコード読取装置。
【００５２】
即ち、別のマルチメディア情報の生成の仕方を操作者が所望に応じて指定できるため、装置として不用意に用途を限定する恐れが無くなり、指定した生成の仕方に応じて種々の用途に適用することが可能となり、装置としての汎用性が益々向上する。
【００５３】
（３）  上記指定手段は、上記読取手段が上記生成の仕方に関する情報を光学的に読み取り可能なコードとして記録したカード型媒体の該コードを光学的に読み取ることにより、その生成の仕方を指定するものであることを特徴とする（２）記載のコード読取装置。
【００５４】
即ち、上記別のマルチメディア情報の生成の仕方を指定するに当たっては、カード型媒体に記録されたコードを読み取るための読取手段が、その生成の仕方を同様に光学的に読み取って行うため、別に改めて指定手段を備える必要がなく、構成上簡略化され、しかも指定時のキー操作等による操作入力ミスも極力解消され、確実な指定が簡単に行える。
【００５５】
（４）  上記指定手段は、上記読取手段が順次時分割で各カード型媒体に記録されたコードを読み取るときの各読み取り動作の合間に、同読取手段が上記生成の仕方に関する情報を記録したカード型媒体の該コードを光学的に読み取ることによって、その生成の仕方を指定するように構成されたものであることを特徴とする（３）記載のコード読取装置。
【００５６】
即ち、１＋１＝２などの算数の学習においては、先ず、マルチメディア情報としての「１」のカードを読み込ませ、次に、別のマルチメディア情報の生成の仕方を指定するための「＋」のカードを読み込ませ、更にマルチメディア情報としての「１」のカードを読み込ませた後、最後に「＝」のカードを読み込ませて答えの「２」を得る。このようなときに極めて好適に利用できる。即ち、計算過程にそのまま沿った形でカードを扱うことができるため、操作上の不自然さが無い。
【００５７】
（５）  上記指定手段は、上記読取手段が各カード型媒体に記録された一連の各コードを順次時分割で読み取る前に、同読取手段が上記生成の仕方に関する情報を記録したカード型媒体の該コードを光学的に読み取ることによって、その生成の仕方を指定するように構成されたものであることを特徴とする（３）記載のコード読取装置。
【００５８】
即ち、先ず初めに、別のマルチメディア情報の生成の仕方を指定するためのカードを読み込ませるため、操作者にとっては以後に選択するマルチメディア情報カードの確認にもなり、従って間違えてカードを選択する恐れが解消される。
【００５９】
（６）  上記指定手段は、上記読取手段が各カード型媒体に記録された各コードを順次時分割で全て読み取った後に、同読取手段が上記生成の仕方に関する情報を記録したカード型媒体の該コードを光学的に読み取ることによって、その生成の仕方を指定するように構成されたものであることを特徴とする（３）記載のコード読取装置。
【００６０】
即ち、既に読み取った複数のカードから別のマルチメディア情報を生成する際、当初予定していた生成の仕方とは異なる別の生成の仕方に変更することが後の段階で可能となり、使用上の便利さを向上させる。
【００６１】
（７）  上記生成の仕方に関する情報を光学的に読み取り可能なコードとして記録したカード型媒体と、該生成の基となるそれぞれのマルチメディア情報を光学的に読み取り可能なコードとして記録した部分を備えるカード型媒体とは、その両者の識別が可能なように外観が構成されたものであることを特徴とする（３）、（４）、（５）、又は（６）記載のコード読取装置。
【００６２】
即ち、目的の異なる２種のカード型媒体の外観を操作者の識別が可能な如く構成したので、その取扱においては誤認混同を生ずる恐れが無く、円滑なカード操作が行い得る。
【００６３】
（８）  上記生成の仕方に関する情報を光学的に読み取り可能なコードとして記録したカード型媒体と、該生成の基となるマルチメディア情報を光学的に読み取り可能なコードとして記録した部分を備えるカード型媒体とは、その媒体に記載された文字乃至は絵柄情報又はその色、形状、大きさが少なくとも異なるように構成されたものであることを特徴とする（７）記載のコード読取装置。
【００６４】
即ち、目的の異なる２種のカード型媒体の外観として、その媒体に記載された文字乃至は絵柄情報又はその色、形状、大きさが異なるようにそれぞれ構成したので、操作者はその取扱上誤認混同を生ずる恐れが無く、円滑なカード操作が行える。
【００６５】
（９）  上記指定手段は、自己の指定した生成の仕方の詳細情報に係わる量、数値、乃至は程度等のパラメータについて、これを所望のレベルに設定するためのレベル設定手段を含むことを特徴とする（３）、（４）、（５）、又は（６）記載のコード読取装置。
【００６６】
即ち、操作者が別のマルチメディア情報の生成の仕方を指定する際、その生成の仕方の詳細情報に係わるパラメータについてもそのレベル設定を行えるようにしたので、生成時の細かい調整や加減が行え、色々な利用場面を想定した別情報の生成が可能となり、更に装置としての汎用性が向上する。
【００６７】
（１０）  上記レベル設定手段は、上記生成の仕方の詳細情報に係わるパラメータ情報を光学的に読み取り可能なコードとして記録したカード型媒体の該コードを上記読取手段が光学的に読み取ることにより、そのレベルの設定を行うように構成されたものであることを特徴とする（９）記載のコード読取装置。
【００６８】
即ち、上記レベルの設定を行うに当たっては、カード型媒体に記録されたコードを読み取るための読取手段が、そのレベルの設定を同様に光学的に読み取って設定するため、別に改めて設定手段を備える必要がなく、構成上簡略化され、しかも設定時のキー操作等による操作入力ミスも極力解消され、確実な設定が簡単に行える。
【００６９】
（１１）  上記レベル設定手段は、上記読取手段の、上記パラメータ情報を光学的に読み取り可能なコードとして記録したカード型媒体の該コードに対する読み取り量に応じて、そのレベルの設定を行うように構成されたものであることを特徴とする（１０）記載のコード読取装置。
【００７０】
即ち、上記レベル設定を、コードに対する読み取り量に応じて行うようにしたので、感覚的にも馴染みやすいレベル設定操作が期待できる。とりわけ、理科の実験に当該装置を用いた際には、あたかも実験を行うが如き操作感が容易に得られる。
【００７１】
（１２）  上記コード読取装置は、上記パラメータ情報を光学的に読み取り可能なコードとして記録したカード型媒体を所定の読み取り位置に移動させるためのローディング機構を備えており、
上記レベル設定手段は、該ローディング機構によるカード型媒体の移動量に依拠したコード読み取り量に応じてそのレベルの設定を行うように構成されたものであることを特徴とする（１１）記載のコード読取装置。
【００７２】
即ち、上記レベル設定を、カード型媒体ローディング時のコード読み取り量に応じて行うようにしたので、感覚的にも馴染みやすい簡便なレベル設定操作が期待できる。とりわけ、理科の実験に当該装置を用いた際には、あたかも実験を行うが如き操作感が容易に得られる。
【００７３】
（１３）  上記パラメータ情報を光学的に読み取り可能なコードとして記録したカード型媒体の該コードに対する読み取り量の設定に当たっては、該カード型媒体のコード上に光学的にマスクされたマスク量に基づいてその設定を行うものであることを特徴とする（１１）記載のコード読取装置。
【００７４】
即ち、上記レベル設定を、コードに対して光学的にマスクされたマスク量に基づいて設定するようにしたので、簡便なレベル設定操作が期待できる。とりわけ、理科の実験に当該装置を用いた際には、あたかも実験を行うが如き操作感が容易に得られる。
【００７５】
（１４）  上記レベル設定手段は、上記読取手段の、上記パラメータ情報を光学的に読み取り可能なコードとして記録したカード型媒体の該コードに対する読み取り回数に応じて、そのレベルの設定を行うように構成されたものであることを特徴とする（１０）記載のコード読取装置。
【００７６】
即ち、上記レベル設定を、コードに対する読み取り回数に応じて設定するようにしたので、簡便なレベル設定操作が期待できる。とりわけ、理科の実験に当該装置を用いた際には、あたかも実験を行うが如き操作感が容易に得られる。
【００７７】
（１５）  上記レベル設定手段は、上記読取手段の、上記パラメータ情報を光学的に読み取り可能なコードとして記録したカード型媒体の該コードに対する読み取り方向に応じて、そのレベルの設定を行うように構成されたものであることを特徴とする（１０）記載のコード読取装置。
【００７８】
即ち、上記レベル設定を、コードに対する読み取り方向に応じて設定するようにしたので、簡便且つ確実なレベル設定操作が期待できる。とりわけ、理科の実験に当該装置を用いた際には、あたかも実験を行うが如き操作感が容易に得られる。
【００７９】
（１６）  上記レベル設定手段は、上記読取手段が、上記パラメータ情報を光学的に読み取り可能なコードとして記録したカード型媒体に操作者が記入した光学的マークを読み取ることによって、そのレベルの設定を行うように構成されたものであることを特徴とする（１０）記載のコード読取装置。
【００８０】
即ち、上記レベル設定を、コードに対して記入したマークの光学的な読み取りにより行うようにしたので、簡便なレベル設定操作が期待できる。とりわけ、理科の実験に当該装置を用いた際には、あたかも実験を行うが如き操作感が容易に得られる。
【００８１】
（１７）  上記コード読取装置を理科の学習用実験教材として用いたことを特徴とする（１）〜（１６）のうち何れか一に記載のコード読取装置。
即ち、当該装置を子供が理科の実験を行う用途に用いたとき、各器具や薬品をそれぞれ示すカード型媒体をあれこれと操りながら実際に操作することになるため、あたかも現実に実験を行っているという実感或いは実体験を擬似的に得ることが容易に可能となり、もってその創造性や探求心を育む上で極めて好適に利用できるコード読取装置が提供できる。また、これを従来のパーソナルコンピュータを利用して行おうとすると、各器具や薬品をそれぞれ示すカード型媒体に例えば、フロッピーディスクや半導体メモリカードを各別に適用することが考えられるが、これらのものではその保持すべき情報量とコスト（媒体単価）との関係から極めて非効率且つ不利なものとなり、とてもそのためのみに利用できるものではない。従って当該装置においては、コードを光学的に読み取り可能に記録したカード型媒体が、その記録すべき情報量や媒体自体のコストの面からみても極めて効果的に利用できる。
【００８２】
（１８）  上記コード読取装置を算数の学習用教材として用いたことを特徴とする（１）〜（１６）のうち何れか一に記載のコード読取装置。
即ち、電子卓上計算機などと比べて、一つ一つカードを確認しながら学習がなされるため、子供等の算数の学習に極めて好都合な学習装置が提供できる。
【００８３】
（１９）  上記各カード型媒体に記録されたコードに基づく各マルチメディア情報が所定の色彩、模様、柄、又は形状のうちの何れかを示す情報であって、上記別情報生成手段は、上記読取手段で読み取ったこれらの色彩、模様、柄、又は形状を示す情報から別の色彩、模様、柄又は形状を示す情報を生成することを特徴とする（１）〜（１６）のうち何れか一に記載のコード読取装置。
【００８４】
即ち、ある色彩、模様、柄、又は形状を示す情報から別の色彩、模様、柄、又は形状を示す情報を生成することが容易に可能となり、例えば、服飾関係のデザインに好適に利用できる。
【００８５】
（２０）  オーディオ情報、映像情報、ディジタルコードデータの少なくとも一つを含むマルチメディア情報が光学的に読み取り可能なコードとして記録された部分を備える、当該装置の所定の読み取り位置にあるカード型媒体から、該コードを光学的に画像として読み取る読取手段と、
上記読取手段で読み取られたコードを処理して元のマルチメディア情報に復元する復元処理手段と、
上記復元処理手段で復元処理されたマルチメディア情報を出力する出力手段とを備えたコード読取装置であって、
上記コード読取装置は、上記読取手段が時分割で順次読み取った複数の各カード型媒体に記録された各コードに基づく複数のマルチメディア情報を利用して、各カード型媒体に記録されたコード単独では生成し得ない別のマルチメディア情報を生成する別情報生成モードと、上記読取手段が読み取った単独のカード型媒体に記録されたコードに基づくマルチメディア情報を生成する通常モードのうち何れか一のモードで動作を行うように制御する制御手段を備えたことを特徴とするコード読取装置。
【００８６】
即ち、装置として、通常のマルチメディア情報を生成する通常モードと、別のマルチメディア情報を生成する別情報生成モードとを選択可能に備えているため、各利用場面に応じたモードの設定によって幅広い使い方ができる。
【００８７】
（２１）  上記制御手段は、上記別情報生成モードを指定するための情報が光学的に読み取り可能なコードとして記録された部分を備えるカード型媒体を上記読取手段が光学的に読み取ることによりそのモードの指定を行うように構成されたものであることを特徴とする（２０）記載のコード読取装置。
【００８８】
即ち、上記別情報生成モードの設定が、既存の手段を用いて自動的且つ簡単に行えるため、構成上有利となり、使い勝手が良い。
（２２）  オーディオ情報、映像情報、ディジタルコードデータの少なくとも一つを含むマルチメディア情報が光学的に読み取り可能なコードとして記録された部分を備える、当該装置の所定の読み取り位置にあるカード型媒体から、該コードを光学的に画像として読み取る読取手段と、
上記読取手段で読み取られたコードを処理して元のマルチメディア情報に復元する復元処理手段と、
上記復元処理手段で復元処理されたマルチメディア情報を出力する出力手段とを備え、
上記復元処理手段は、上記読取手段が時分割で順次読み取った複数の各カード型媒体に記録された各コードに基づく複数のマルチメディア情報を利用して、各カード型媒体に記録されたコード単独では生成し得ない別のマルチメディア情報を生成する別情報生成手段を備えたコード読取装置における上記カード型媒体であって、
該カード型媒体には、上記別情報生成手段が上記別のマルチメディア情報を生成するときの基になる各マルチメディア情報に対応したコードが光学的に読み取り可能に記録されていることを特徴とするカード型媒体。
【００８９】
即ち、例えば、コード読取装置装置を子供が理科の実験を行う用途に用いたとき、各器具や薬品をそれぞれ示すカード型媒体をあれこれと操りながら実際に操作することになるため、あたかも現実に実験を行っているという実感或いは実体験を擬似的に得ることが容易に可能となり、もってその創造性や探求心を育む上で極めて好適に利用できるコード読取装置に用いるカード型媒体が提供できる。また、これを従来のパーソナルコンピュータを利用して行おうとすると、各器具や薬品をそれぞれ示すカード型媒体に例えば、フロッピーディスクや半導体メモリカードを各別に適用することが考えられるが、これらのものではその保持すべき情報量とコスト（媒体単価）との関係から極めて非効率且つ不利なものとなり、とてもそのためのみに利用できるものではない。従って当該装置においては、コードを光学的に読み取り可能に記録したカード型媒体が、その記録すべき情報量や媒体自体のコストの面からみても極めて効果的に利用できる。
【００９０】
（２３）  オーディオ情報、映像情報、ディジタルコードデータの少なくとも一つを含むマルチメディア情報が光学的に読み取り可能なコードとして記録された部分を備える、当該装置の所定の読み取り位置にあるカード型媒体から、該コードを光学的に画像として読み取る読取手段と、
上記読取手段で読み取られたコードを処理して元のマルチメディア情報に復元する復元処理手段と、
上記復元処理手段で復元処理されたマルチメディア情報を出力する出力手段とを備え、
上記復元処理手段は、上記読取手段が時分割で順次読み取った複数の各カード型媒体に記録された各コードに基づく複数のマルチメディア情報を利用して、各カード型媒体に記録されたコード単独では生成し得ない別のマルチメディア情報を生成する別情報生成手段を備えたコード読取装置における上記カード型媒体であって、
該カード型媒体には、上記別情報生成手段が上記別のマルチメディア情報を生成するときの生成の仕方を指定するためのコードが光学的に読み取り可能に記録されていることを特徴とするカード型媒体。
【００９１】
即ち、例えば、コード読取装置を子供が理科の実験を行う用途に用いたとき、各器具や薬品をそれぞれ示すカード型媒体をあれこれと操りながら実際に操作することになるため、あたかも現実に実験を行っているという実感或いは実体験を擬似的に得ることが容易に可能となり、もってその創造性や探求心を育む上で極めて好適に利用できるコード読取装置に用いるカード型媒体が提供できる。このとき、このカード型媒体には、別のマルチメディア情報を生成するときの生成の仕方を指定するためのコードが光学的に読み取り可能に記録されているため、読取手段がこれを光学的に読み取るだけでその生成の仕方を簡単に指定でき、構成上及びコスト上有利で、子供にとっての操作性も格段に良好となる。
【００９２】
【発明の効果】
以上詳述したように、本発明によれば、例えば、当該装置を子供が理科の実験を行う用途に用いたとき、あたかも現実にこれを行っているという実感或いは実体験を擬似的に得ることを容易に可能となし、もってその創造性や探求心を育む上で極めて好適に利用できるコード読取装置及びカード型媒体を提供することができる。
【図面の簡単な説明】
【図１】（Ａ）は第１の実施の形態のコード読取装置のブロック構成図であり、（Ｂ）はカード型媒体に記録されるコードデータとしてのドットコードを示す図である。
【図２】第１の実施の形態のコード読取装置の動作フローチャートである。
【図３】第１の実施の形態のコード読取装置の実際の動作を説明するためのカード型媒体の挿入順と表示例を示す図である。
【図４】別情報生成テーブルの例を示す図である。
【図５】第１の実施の形態のカード型媒体の例を示す図である。
【図６】（Ａ）乃至（Ｃ）はそれぞれ第１の実施の形態のカード型媒体の例を示す図である。
【図７】第１の実施の形態のカード型媒体の別の挿入順の例を示す図である。
【図８】（Ａ）及び（Ｂ）はそれぞれ第２の実施の形態のカード型媒体の例を示す図である。
【図９】（Ａ）乃至（Ｄ）はそれぞれ第３の実施の形態のカード型媒体の例を示す図である。
【図１０】（Ａ）は第３の実施の形態のコード読取装置の斜視図であり、（Ｂ）は第３の実施の形態のカード型媒体の例を示す図である。
【符号の説明】
１０  ＣＰＵ
１２  光学的読取部
１４  メモリ
１６  復元処理部
１８  出力部
２０  別情報生成部
２２  マーク領域
２４  コード面
２６  パラメータを表すコード
２８  マルチメディア情報カード型媒体
３０  コード読取装置
３２  パラメータ設定用コードデータ
【図１】
0003782503.tif 000002
【図２】
0003782503.tif 000003
【図３】
0003782503.tif 000004
【図４】
0003782503.tif 000005
【図５】
0003782503.tif 000006
【図６】
0003782503.tif 000007
【図７】
0003782503.tif 000008
【図８】
0003782503.tif 000009
【図９】
0003782503.tif 000010
【図１０】
0003782503.tif 000011